(57)【要約】【課題】  利用者の利便性を向上させることができる非接触型通信デバイスの状態通知を行う。【解決手段】  携帯情報装置が、有線経路を介した指令により、非接触型通信デバイスが非接触型通信を利用して実行する機能の少なくとも１つを停止させる。こうした機能停止指令は、利用者による携帯情報装置の操作部からの指令入力や、携帯情報装置が外部通信機能を有する場合における当該外部通信機能を利用した指令入力等に応答して行われる。こうして非接触型通信デバイスの少なくとも１つが停止された後、携帯電話装置が利用者の便宜のために必要であると判断すると、携帯電話装置が、自発的に、当該少なくとも１つの機能が停止していることを、シンボル図形ＢＳＭを表示部１３に表示する等して利用者へ通知する。【選択図】  図７
2006203284.tif 000002
【特許請求の範囲】
【請求項１】
有線経路を介して携帯情報装置と通信可能な非接触型通信デバイスが搭載された前記携帯情報装置における前記非接触型通信デバイスの状態通知方法であって、
前記携帯情報装置が、前記非接触型通信デバイスが非接触型通信を利用して実行する機能の少なくとも１つを停止させる機能停止工程と；
前記携帯情報装置が、自発的に、前記少なくとも１つの機能が停止していることを利用者へ通知する機能停止通知工程と；を備える状態通知方法。
【請求項２】
前記機能停止通知工程では、前記機能停止工程の後、直ちに、前記少なくとも１つの機能が停止している旨の前記携帯情報装置の表示部への表示、及び、前記少なくとも１つの機能が動作している旨の前記表示部における消去の少なくとも一方を行う、ことを特徴とする請求項１に記載の状態通知方法。
【請求項３】
前記少なくとも１つの機能が停止している旨及び前記少なくとも１つの機能が動作している旨は、シンボル図形により表現される、ことを特徴とする請求項２に記載の状態通知方法。
【請求項４】
前記少なくとも１つの機能が停止している旨及び前記少なくとも１つの機能が動作している旨は、前記表示部において、前記携帯情報装置の基本機能を実現するための基本処理部のみが表示できるシステム表示領域に表示される、ことを特徴とする請求項２又は３に記載の状態通知方法。
【請求項５】
前記機能停止通知工程では、前記少なくとも１つの機能を使用しようとしたことが前記非接触型通信デバイスから報告された場合に、前記携帯端末装置が、視覚、聴覚及び触覚の少なくとも１つに訴える態様で、前記少なくとも１つの機能が停止していることを利用者へ通知する、ことを特徴とする請求項１に記載の状態通知方法。
【請求項６】
前記機能停止通知工程における前記通知と並行して、前記少なくとも１つの機能の実行を開始させるか否かを確認するための確認画面を前記表示部に表示する確認画面表示工程を更に備える、ことを特徴とする請求項５に記載の状態通知方法。
【請求項７】
前記機能停止工程では、前記非接触型通信デバイスが非接触型通信を利用して実行する機能の全てを停止させる、ことを特徴とする請求項１〜６のいずれか一項に記載の状態通知方法。
【請求項８】
有線経路を介して通信可能な非接触型通信デバイスを搭載した携帯情報装置であって、
前記非接触型通信デバイスが非接触型通信を利用して実行する機能の少なくとも１つを停止させる機能停止手段と；
前記少なくとも１つの機能が停止していることを自発的に利用者へ通知する機能停止通知手段と；を備える携帯情報装置。
【請求項９】
前記機能停止通知手段は、前記機能停止手段によって前記少なくとも１つの機能が停止された後、直ちに、前記少なくとも１つの機能が停止している旨の表示部への表示、及び、前記少なくとも１つの機能が動作している旨の前記表示部における消去の少なくとも一方を行う、ことを特徴とする請求項８に記載の携帯情報装置。
【請求項１０】
前記機能停止通知手段は、前記少なくとも１つの機能を使用しようとしたことが前記非接触型通信デバイスから報告された場合に、視覚、聴覚及び触覚の少なくとも１つに訴える態様で、前記少なくとも１つの機能が停止していることを利用者へ通知する、ことを特徴とする請求項８に記載の携帯情報装置。
【請求項１１】
移動通信網の基地局と無線通信をするための無線通信部を更に備える、ことを特徴とする請求項８〜１０のいずれか一項に記載の携帯情報装置。
【発明の詳細な説明】
【技術分野】
【０００１】
本発明は、状態通知方法及び携帯情報装置に係り、より詳しくは、有線経路を介して携帯情報装置と通信可能な非接触型通信デバイスが搭載された前記携帯情報装置における前記非接触型通信デバイスの状態通知方法、及び、当該状態通知方法を使用する携帯情報装置に関するものである。
【背景技術】
【０００２】
従来から、携帯電話装置等の携帯情報装置が広く普及している。こうした携帯情報装置の機能や性能の向上は目覚しく、例えば携帯電話装置では、必須機能である通話機能や電子メールの送受信機能に加えて、非接触型通信を行うとともに、近年において多用な分野で使用されているいわゆるＩＣカードの機能を果たす非接触型通信デバイスを装備するものが登場している。かかる非接触型通信デバイスとしては、いわゆるＩＣカードのようなカード状で、携帯情報装置に対して挿抜可能なもの（特許文献１参照）や、携帯情報装置に固定的に内蔵されるもの（特許文献２参照）がある。
【０００３】
これらの非接触型通信デバイスには、ＣＰＵ（中央処理装置）チップやメモリチップ等のＩＣチップが組み込まれている。こうした非接触型通信デバイスは、そのセキュリティの高さから、例えば、プリペイド鉄道改札サービスの利用履歴や電子マネー等の支払い決済といった他人には容易に知られたくない情報が保存されているなど、個人に係わる重要な機能を果たすようになりつつある。
【０００４】
非接触型通信デバイスを搭載した携帯情報装置では、当該携帯情報の操作部からの指令により、利用者が任意に非接触型通信デバイスの機能を停止させることができるようにされることが一般的である。また、非接触型通信デバイスの機能の停止については、非接触型通信デバイスを搭載した携帯情報装置を紛失等した場合に備えて、移動通信網を介して、非接触型通信デバイスの機能を停止させる技術が提案されている（特許文献３参照）。
【０００５】
こうした非接触型通信デバイスの機能の停止を確認するには、利用者が携帯情報装置の操作部から指令入力を行って、表示部の画面を遷移させることにより、機能確認画面を表示部に表示させる方法が採用されている。
【０００６】
【特許文献１】特開２００１−２２３６３１号公報
【特許文献２】特開２００３−８５４６６号公報
【特許文献３】特開２００４−２９７１４９号公報
【発明の開示】
【発明が解決しようとする課題】
【０００７】
携帯情報装置に搭載された非接触型通信デバイスの機能を停止させている状態で当該機能を実行しようとしたときには、リーダライタからエラーが報告されることになる。例えば、非接触型通信デバイスにおける鉄道改札サービスを受けるための機能が停止されていると、非接触型通信デバイスを搭載した携帯情報装置をリーダライタの機能を有する自動改札機の非接触型通信用領域に近接させても、自動改札機からエラーが報告されることになる。
【０００８】
以上のエラー発生自体は仕様通りの現象であるが、外見上同様のエラーは、非接触型通信デバイスの機能が停止していること以外を要因としても発生し、リーダライタから利用者に報告される。ここで、非接触型通信デバイスの機能が停止していること以外のエラー要因としては、例えば、非接触型通信のためにリーダライタに近接させる時間が短かったために通信時間が十分に確保できなかった等がある。かかる通信時間の不足等によるエラー発生は、比較的高い頻度で発生する。
【０００９】
このため、利用者が非接触型通信デバイスの機能を停止させたことを忘れている場合には、利用者が再度非接触型通信を試みる傾向があった。そして、従来の技術のように非接触型通信デバイスの機能が停止状態にあることを確認するためには複数の操作が必要であることにより、簡易に非接触型通信デバイスの機能が停止状態にあることを確認できないことは、利用者が、エラー復旧の可能性のない非接触型通信の試行を再度行う傾向を助長することとなっていた。
【００１０】
本発明は、上記の事情を鑑みてなされたものであり、利用者の利便性を向上させることができる、携帯情報装置に搭載された非接触型通信デバイスの状態通知方法を提供することを目的とする。
【００１１】
また、本発明は、利用者の利便性を向上させることができる非接触型通信デバイスの状態通知を行うことができる携帯情報装置を提供することを目的とする。
【課題を解決するための手段】
【００１２】
本発明の状態通知方法は、有線経路を介して携帯情報装置と通信可能な非接触型通信デバイスが搭載された前記携帯情報装置における前記非接触型通信デバイスの状態通知方法であって、前記携帯情報装置が、前記非接触型通信デバイスが非接触型通信を利用して実行する機能の少なくとも１つを停止させる機能停止工程と；前記携帯情報装置が、自発的に、前記少なくとも１つの機能が停止していることを利用者へ通知する機能停止通知工程と；を備える状態通知方法である。ここで、「自発的に」とは、「利用者からの明示的な指令によるのではなく、自らが判断して」の意味である。本明細書においては、この意味で、「自発的に」の用語を用いるものとする。
【００１３】
この状態通知方法では、機能停止工程において、携帯情報装置が、有線経路を介した指令により、非接触型通信デバイスが非接触型通信を利用して実行する機能の少なくとも１つを停止させる。こうした機能停止指令は、利用者による携帯情報装置の操作部からの指令入力や、携帯情報装置が外部通信機能を有する場合における当該外部通信機能を利用した指令入力等に応答して行われる。こうして非接触型通信デバイスの少なくとも１つが停止された後、携帯情報装置が利用者の便宜のために必要であると判断すると、機能停止通知工程において、携帯情報装置が、自発的に、当該少なくとも１つの機能が停止していることを利用者へ通知する。
【００１４】
この結果、利用者は、確認したいときに、非接触型通信デバイスのどの機能が停止されているか確認することができる。したがって、本発明の状態表示方法によれば、利用者の利便性を向上させることができる。
【００１５】
本発明の状態表示方法では、前記機能停止通知工程において、前記機能停止工程の後、直ちに、前記少なくとも１つの機能が停止している旨の前記携帯情報装置の表示部への表示、及び、前記少なくとも１つの機能が動作している旨の前記表示部における消去の少なくとも一方を行うこととすることができる。この場合には、利用者は、任意の時点で表示部における表示を確認することにより、停止している非接触型通信デバイスの機能を確認することができる。
【００１６】
ここで、前記少なくとも１つの機能が停止している旨及び前記少なくとも１つの機能が動作している旨は、シンボル図形により表現されることとすることができる。この場合には、直感的に意味内容の把握が容易なシンボル図形により、非接触型通信デバイスの機能の利用可否状態が表示される。このため、利用者は、非接触型通信デバイスの状態を、容易にかつ迅速に確認することができる。
【００１７】
また、前記少なくとも１つの機能が停止している旨及び前記少なくとも１つの機能が動作している旨は、前記表示部において、前記携帯情報装置の基本機能を実現するための基本処理部のみが表示できるシステム表示領域に表示されることとすることができる。この場合には、基本処理部と連係して動作を行うアプリケーションが動作しているときであっても、アプリケーションが利用する表示領域とは異なる領域に非接触型通信デバイスの状態が表示される。したがって、アプリケーションの実行の有無にかかわらず、確実に非接触型通信デバイスの状態を表示することができる。
【００１８】
また、本発明の状態表示方法では、前記機能停止通知工程においては、前記少なくとも１つの機能を使用しようとしたことが前記非接触型通信デバイスから報告された場合に、前記携帯端末装置が、視覚、聴覚及び触覚の少なくとも１つに訴える態様で、前記少なくとも１つの機能が停止していることを利用者へ通知することとすることができる。この場合には、例えば、非接触型通信デバイスにおける鉄道改札サービスを受けるための機能が停止されているときに、改札機を通過しようとしたときのように、停止している機能に関する非接触型通信を行うことが要求されたときには、その旨が非接触型通信デバイスから報告される。かかる報告を受けると、携帯情報装置は、機能停止通知工程において、視覚、聴覚及び触覚の少なくとも１つに訴える態様で、当該機能が停止していることを利用者へ通知する。このため、利用者は、対処が必要なときに、非接触型通信デバイスにおける機能が停止されていることを知ることができる。
【００１９】
ここで、前記機能停止通知工程における前記通知と並行して、前記少なくとも１つの機能の実行を開始させるか否かを確認するための確認画面を前記表示部に表示する確認画面表示工程を更に備えることとすることができる。この場合には、利用者が、停止している機能を迅速に起動させることができる。
【００２０】
また、本発明の状態通知方法では、前記機能停止工程において、前記非接触型通信デバイスが非接触型通信を利用して実行する機能の全てを停止させることとすることもできる。また、非接触型通信デバイスが非接触型通信を利用して実行する機能の一部を選択的に
停止させることもできる。
【００２１】
本発明の携帯情報装置は、有線経路を介して通信可能な非接触型通信デバイスを搭載した携帯情報装置であって、前記非接触型通信デバイスが非接触型通信を利用して実行する機能の少なくとも１つを停止させる機能停止手段と；前記少なくとも１つの機能が停止していることを自発的に利用者へ通知する機能停止通知手段と；を備える携帯情報装置である。
【００２２】
この携帯情報装置では、利用者による携帯情報装置の操作部からの指令入力や、携帯情報装置が外部通信機能を有する場合における当該外部通信機能を利用した指令入力等に応答して、機能停止手段が、有線経路を介した指令により、非接触型通信デバイスが非接触型通信を利用して実行する機能の少なくとも１つを停止させる。こうして非接触型通信デバイスの少なくとも１つが停止された後、携帯情報装置が利用者の便宜のために必要であると判断すると、機能停止通知手段が、自発的に、前記少なくとも１つの機能が停止していることを利用者へ通知する。
【００２３】
すなわち、本発明の携帯情報装置は、上述した本発明の状態表示方法を使用して、非接触型通信デバイスの機能の停止状態を利用者へ通知することができる。したがって、本発明の携帯情報装置によれば、利用者の利便性を向上させることができる。
【００２４】
本発明の携帯情報装置では、前記機能停止通知手段が、前記機能停止手段によって前記少なくとも１つの機能が停止された後、直ちに、前記少なくとも１つの機能が停止している旨の表示部への表示、及び、前記少なくとも１つの機能が動作している旨の前記表示部における消去の少なくとも一方を行う構成とすることができる。この場合には、利用者は、任意の時点で表示部における表示を確認することにより、停止している非接触型通信デバイスの機能を確認することができる。
【００２５】
また、本発明の携帯情報装置では、前記機能停止通知手段が、前記少なくとも１つの機能を使用しようとしたことが前記非接触型通信デバイスから報告された場合に、視覚、聴覚及び触覚の少なくとも１つに訴える態様で、前記少なくとも１つの機能が停止していることを利用者へ通知する構成とすることができる。この場合には、利用者は、対処が必要なときに、非接触型通信デバイスにおける機能が停止されていることを知ることができる。ここで、視覚に訴える態様の通知としては、例えば、携帯情報装置に搭載されているＬＥＤ（Light Emitting Diode）の点滅がある。また、聴覚に訴える態様の通知としては、例えば、携帯情報装置に搭載されているスピーカからの警告音の出力がある。また、触覚に訴える態様の通知としては、例えば、携帯情報装置に搭載されているバイブレータによる携帯情報装置全体の振動がある。
【００２６】
また、本発明の携帯情報装置では、移動通信網の基地局と無線通信をするための無線通信部を更に備える構成とすることができる。本発明の携帯情報装置を、携帯電話装置等の移動通信端末装置とすることができる。
【発明の効果】
【００２７】
以上説明したように、本発明の状態表示方法によれば、利用者の利便性を向上させることができる、携帯情報装置に搭載された非接触型通信デバイスの状態通知を行うことができるという効果を奏する。
【００２８】
また、本発明の携帯情報装置によれば、利用者の利便性を向上させることができる、搭載された非接触型通信デバイスの状態通知を行うことができるという効果を奏する。
【発明を実施するための最良の形態】
【００２９】
＜第１実施形態＞
以下、本発明の第１実施形態を、図１〜図７を参照しつつ説明する。なお、これらの図においては、同一又は同等の要素には同一の符号を付し、重複する説明を省略する。
【００３０】
図１（Ａ）及び図１（Ｂ）には、携帯情報装置である携帯電話装置１０の外観構成が概略的に示されている。ここで、図１（Ａ）には、携帯電話装置１０の外観の正面図が示され、図１（Ｂ）には、携帯電話装置１０の外観の背面図が示されている。
【００３１】
図１（Ａ）及び図１（Ｂ）に総合的に示されるように、携帯電話装置１０は、（ａ）携帯電話本体１１と、（ｂ）電話番号を入力するためのテンキー、及び、動作モードの切替等の各種指令を制御部２１に入力するためのファンクションキーを有する操作部１２と、（ｃ）操作案内、動作状況、受信メッセージ等を表示する液晶表示装置を有する画面表示部１３と、（ｄ）通話時に通信相手から送られてきた音声信号を再生する通話用スピーカ１４と、（ｅ）集音時に音を入力したり、通話時に音声を入力したりするためのマイクロフォン１５と、（ｆ）着信音や案内音を発生するための案内用スピーカ１６と、（ｇ）基地局との間で無線信号を授受するためのアンテナ１７とを備えている。
【００３２】
携帯電話本体１１は、その内部に、図２に示されるように、（ｉ）携帯電話装置１０全体の動作を統括制御する制御部２１と、（ii）アンテナ１７を介して、基地局との間で無線信号の送受信を行う送受信部２２と、（iii）各種データを格納する、読出し専用メモリ（ＲＯＭ）素子やランダムアクセスメモリ（ＲＡＭ）素子等を有する記憶部２３と、（iv）ＩＣカード機能を果たすＩＣカード部３０と、（ｖ）制御部２１がＩＣカード部３０との間で接触型通信を行うためのカード通信部２４と、（vi）ＩＣカード部３０がリーダライタ５０との間で非接触型通信を行うためのアンテナ２５とを備えている。なお、本実施形態では、ＩＣカード部３０は、非接触型通信を利用して、機能Ａ及び機能Ｂを実行することができるように設定されている。
【００３３】
制御部２１は、中央処理装置（ＣＰＵ）、デジタル信号処理装置（ＤＳＰ）等を備えており、一般的な携帯電話機能を実現するために、様々なデータ処理を行うとともに、上述した他の構成要素の動作制御を行うようになっている。この制御部２１において実行されるプログラム等のソフトウエアの構成は、図３に示されるようになっている。
【００３４】
すなわち、制御部２１におけるソフトウエアは、（ｉ）携帯電話としての基本機能である通話機能及びメール機能等を実現するとともに、上述した各種のハードウエア資源の制御を行う基本処理部５１と、（ii）ゲーム等の様々なコンテンツを利用者に提供するためのアプリケーション５３と、（iii）基本処理部５１とアプリケーション５３との間に位置し、アプリケーション５３の実行環境を提供する実行環境部５２とから構成されている。ここで、アプリケーション５３は、工場出荷前にプレインストールされることもあるが、多くは、利用者による操作部１２の操作によって、この移動体端末装置が係わるネットワークにおいて各種の管理及びサービスを行うサーバから送受信部２２等を介してダウンロードされた後に実装される。
【００３５】
基本処理部５１は、利用者の操作部１２からの指令入力又は送受信部２２を介した外部からの指令入力に応答して、ＩＣカード部３０の一部又は全部の機能を起動又は停止させるカード機能起動／停止部５６を備えている。また、基本処理部５１は、カード機能起動／停止部５６からのカード機能停止の通知を受けて、停止されたＩＣカード部３０の機能の表示部１３への表示を制御する機能停止表示制御部５７を備えている。
【００３６】
なお、基本処理部５１と実行環境部５２との間では、アプリケーション５３に関連して、要求、応答、イベント発生等の情報が適宜やり取りされるようになっている。また、実行環境部５２とアプリケーション５３との間では、アプリケーション５３からの各種の要求が実行環境部５２に通知されるとともに、実行環境部５２から応答やイベント発生が通知されるようになっている。すなわち、実行環境部５２は、アプリケーション５３と基本処理部５１間のコマンド変換、アプリケーション５３の管理等のアプリケーション実行のためのソフトウエア資源を提供する一組のプログラムである。
【００３７】
表示部１３の表示領域は、図４に示されるように、基本処理部５１のみが表示内容を決定することができるシステム表示領域ＳＤＡ１，ＳＤＡ２と、基本処理部５１及びアプリケーション５３の双方が表示内容を決定することができる共用表示領域ＳＡＤＡとに分割されている。すなわち、基本処理部５１は、表示部１３の表示領域の全域について表示内容を決定することができるが、アプリケーション５３は、共用表示領域ＳＡＤＡについてのみ表示内容を決定することができるようになっている。
【００３８】
ＩＣカード部３０は、図５に示されるように、（ａ）制御部２１との間で有線経路を介した通信、及び、リーダライタ５０との間でアンテナ２５を介した非接触型通信の制御を行うとともに、後述する記憶部３４からの読出し及び記憶部３４への書込み等、ＩＣカード部３０全体を統括制御する制御部３３と、（ｂ）ＩＣカード部３０におけるデータ等を記憶する記憶部３４とを備えている。ここで、記憶部３４は、（ｉ）非接触型通信を利用する機能Ａ用の記憶領域である機能Ａ領域と、（ii）非接触型通信を利用する機能Ｂ用の記憶領域である機能Ｂ領域とを含んでいる。
【００３９】
なお、図２及び図５に示されるリーダライタ５０は、アンテナ２５を介して、ＩＣカード部３０と非接触型通信をおこなう送受信装置である。
【００４０】
次に、上記のように構成された携帯電話装置１０における機能の停止情報の利用者への通知動作について説明する。なお、機能Ａはクレジット会社が発行するクレジットカード機能であり、機能Ｂは鉄道会社が発行する定期乗車券機能であるものとする。また、当初、ＩＣカード部３０の機能Ａ及び機能Ｂは、停止されていないものとする。
【００４１】
携帯電話装置１０の電源がオンとされると、携帯電話装置１０では初期化動作がなされ、その後に表示部１３の共用表示領域ＳＡＤＡには、図６（Ａ）に示されるように、待受画面が表示される。また、システム表示領域ＳＤＡ１には、電界強度及び電池残量の情報がシンボル図形にて表示される。また、システム表示領域ＳＤＡにはソフトキーが表示される。
【００４２】
この状態で利用者によるメニュー表示の指令が操作部１２から入力すると、表示部１３の共用表示領域ＳＡＤＡには、図６（Ｂ）に示されるメニュー画面が表示される。このメニュー表示画面において利用者により「１．ＩＣカード設定」が選択されると、図６（Ｃ）に示されるＩＣカード設定画面が表示される。引き続き、ＩＣカード設定画面において利用者により「２．機能Ｂ」が選択されると、共用表示領域ＳＡＤＡには、図６（Ｄ）に示される暗証番号入力画面が表示される。
【００４３】
暗証番号入力画面において利用者により機能Ｂに関する暗証番号が正しく入力されると、共用表示領域ＳＡＤＡには、図７（Ａ）に示される機能Ｂ設定画面が表示される。この機能Ｂ設定画面において「２．停止」が選択されると、基本処理部５１のカード機能起動／停止部５６が、カード通信部２４を介して、機能Ｂ停止指令をＩＣカード部３０へ送る。ＩＣカード部３０では、制御部３３が機能Ｂ停止指令を受ける。そして、制御部３３は、機能Ｂを停止させ、その旨を制御部２１へ送る。こうして機能Ｂが停止されると、制御部３３は、リーダライタ５０から機能Ｂに関するトランザクションを受信しても応答をしなくなる。
【００４４】
一方、機能Ｂ設定画面において「２．停止」が選択されると、共用表示領域ＳＡＤＡには、上記のＩＣカード部３０における機能Ｂの停止のための動作時間以上の一定時間にわたって、図７（Ｂ）に示されるように、機能Ｂを停止させた旨が表示される。また、ＩＣカード部３０から機能Ｂを停止させた旨を受けたカード機能起動／停止部５６は、ＩＣカード部３０における機能Ｂが停止した旨を機能停止表示制御部５７へ通知する。この通知を受けた機能停止表示制御部５７は、表示部１３のシステム表示領域ＳＤＡ１に、機能Ｂ停止シンボル図形ＢＳＭ（図７（Ｃ）参照）を表示させる。
【００４５】
こうして、機能Ｂを停止させた旨の表示部１３への表示から一定時間が経過すると、図７（Ｃ）に示されるように、共用表示領域ＳＡＤＡにおける表示は、機能Ｂ設定画面に戻る。一方、システム表示領域ＳＤＡ１には、機能Ｂ停止シンボル図形ＢＳＭが表示される。以後、上述した機能Ｂの停止と同様の手順で機能Ｂ起動が起動されるまでは、システム表示領域ＳＤＡ１には、機能Ｂ停止シンボル図形ＢＳＭが表示され続ける。例えば、図７（Ｃ）における画面表示状態において、待受画面表示状態に戻るためのリセットキーとしても機能する終話キーを押下すると、図７（Ｄ）に示されるように、共用表示領域ＳＡＤＡの表示は待受画面に戻るが、システム表示領域ＳＤＡ１における機能Ｂ停止シンボル図形ＢＳＭの表示は継続する。
【００４６】
なお、一度システム表示領域ＳＤＡ１における機能Ｂ停止シンボル図形ＢＳＭの表示状態となると、その電源のオフの後、再度電源をオンとしても、機能Ｂの起動がなされない限り、システム表示領域ＳＤＡ１への機能Ｂ停止シンボル図形ＢＳＭの表示がなされる。
【００４７】
上記のようにしてＩＣカード部３０における機能Ｂを停止させた後に、鉄道会社の駅の改札機を通過しようとして、携帯電話装置１０を改札機に近付けると、改札機内のリーダライタ５０がエラーを検出し、警告音等を発する。この場合、利用者は、携帯電話装置１０の表示部１３における機能Ｂ停止シンボル図形ＢＳＭの表示の有無を確認することにより、エラーの発生原因が、ＩＣカード部３０における機能Ｂを停止させていることであることを、迅速にかつ容易に確認することができる。
【００４８】
なお、ＩＣカード部３０における機能Ｂの停止が、利用者による操作部１２からの指令入力により行われる場合について説明したが、移動通信網を介して機能Ｂの停止が指令された場合も上記と同様に動作する。
【００４９】
また、ＩＣカード部３０における機能Ｂの停止について説明したが、機能Ａの停止についても、機能Ｂの同様に停止され、その旨が表示部１３のシステム表示領域ＳＤＡ１に表示される。
【００５０】
以上説明したように、本実施形態では、携帯電話装置１０のカード機能起動／停止部５６が、有線経路を介した指令により、ＩＣカード部３０が非接触型通信を利用して実行する機能が個別に停止される。こうして、ＩＣカード部３０の機能が個別的に停止されると、直ちに、当該機能が停止している旨が、携帯電話装置１０の表示部１３に表示される。したがって、本実施形態によれば、利用者が任意の時点で表示部における表示を確認することにより、停止している非接触型通信デバイスの機能を確認することができ、利用者の利便性が向上する。
【００５１】
また、当該機能が停止している旨は、直感的に把握が可能なシンボル図形により表現される。このため、利用者は、ＩＣカード部３０における機能停止の状態を、容易にかつ迅速に確認することができる。
【００５２】
また、当該機能が停止している旨は、携帯電話装置１０の基本処理部５１のみが表示可能な表示部１３のシステム表示領域ＳＤＡ１に表示される。このため、基本処理部５１と連係して動作を行うアプリケーション３３が動作しているときであっても、アプリケーション３３が利用する共用表示領域ＳＡＤＡとは異なる領域にＩＣカード部３０の機能が停止している旨が表示される。したがって、アプリケーション３３の実行の有無にかかわらず、確実にＩＣカード部３０における機能停止の状態を表示することができる。
【００５３】
なお、上記の第１実施形態では、ＩＣカード部３０における機能が停止している場合に、当該機能が停止している旨を明示的に表示部１３に表示するにした。これに対して、ＩＣカード部３０における機能が動作中には、当該機能が動作中である旨を明示的に表示部１３へ表示するとともに、当該機能が停止した場合には、当該機能が動作中である旨の表示を表示部１３から消去することとすることもできる。さらに、当該機能が動作中には、当該機能が動作中である旨を明示的に表示部１３へ表示するとともに、当該機能が停止した場合には、当該機能が停止中である旨を明示的に表示部１３へ表示することにすることもできる。
【００５４】
また、上記の第１実施形態では、ＩＣカード部３０における機能が停止している旨をシンボル図形で表現することとしたが、短い文字列で表現することもできる。
【００５５】
また、ＩＣカード部３０における機能を停止させる際には、カード機能起動／停止部５６が個別の機能ごとにＩＣカード部３０へ停止指令を送り、この停止指令を受けたＩＣカード部３０が自発的に当該機能を停止させることとした。これに対し、カード機能起動／停止部５６がＩＣカード部３０における全ての機能を停止させる一括停止指令をＩＣカード部３０へ送り、この一括停止指令を受けたＩＣカード部３０が自発的に全機能を停止させることとすることができる。なお、ＩＣカード部３０における全ての機能を停止させる際には、カード機能起動／停止部５６が、ＩＣカード部３０とアンテナ２５との電気的な接続を切断したり、ＩＣカード部３０への電力供給を遮断したりすることにすることもできる。
【００５６】
＜第２実施形態＞
以下、本発明の第２実施形態について説明する。なお、以下の説明においては、上述の第１実施形態の場合と同一又は同等の要素には同一符号を付し、重複する説明を省略する。
【００５７】
図８（Ａ）及び図８（Ｂ）には、携帯電話装置１０’の外観構成が概略的に示されている。ここで、図８（Ａ）には、携帯電話装置１０の外観の正面図が示され、図８（Ｂ）には、携帯電話装置１０の外観の背面図が示されている。図８（Ａ）及び図８（Ｂ）において総合的に示されるように、携帯電話装置１０’は、第１実施形態の携帯電話装置１０と比べて、ＬＥＤ（Light  Emitting Diode）１８1，１８2から成るＬＥＤ部１８を更に備えている。
【００５８】
また、図９に示されるように、携帯電話装置１０’の携帯電話本体１１は、その内部に、上述した第１実施形態の携帯電話装置１０の場合と比べて、バイブレータ２６を更に備えている。なお、ＬＥＤ部１８のＬＥＤ１８1，１８2は、制御部２１からの指令に従って点滅し、バイブレータ２６は、制御部２１からの指令に従って振動するようになっている。
【００５９】
携帯電話装置１０’の制御部２１で動作するソフトウエアプログラムである基本処理部５１’は、図１０に示されるように、基本処理部５１は、利用者の操作部１２からの指令入力又は送受信部２２を介した外部からの指令入力に応答して、ＩＣカード部３０の一部又は全部の機能を起動又は停止させるカード機能起動／停止部５６’を備えている。また、基本処理部５１’は、ＩＣカード部３０から、カード通信部２４を介して、停止中の機能に関連する非接触型通信のトランザクションを受信したことが通知された場合に、その旨をＬＥＤ部１８のＬＥＤ１８1，１８2を点滅させるとともに、バイブレータ２６を振動させて利用者に報告する機能停止通知制御部５８とを備えている。
【００６０】
次に、上記のように構成された携帯電話装置１０’における機能の停止情報の利用者への通知動作について説明する。なお、本実施形態においても、第１実施形態の場合と同様に、ＩＣカード部３０の機能Ａはクレジット会社が発行するクレジットカード機能であり、機能Ｂは鉄道会社が発行する定期乗車券機能であるものとする。また、当初、ＩＣカード部３０の機能Ａ及び機能Ｂは、停止されていないものとする。
【００６１】
本実施形態では、上述した第１実施形態の場合と同様にして、ＩＣカード部３０の機能Ｂ（又は機能Ａ）を停止させる。但し、第１実施形態のように、機能Ｂ（又は機能Ａ）が停止している旨の表示部１３への表示は行わない。
【００６２】
すなわち、本実施形態では、利用者が機能Ｂを停止させるときには、まず、上述した図６（Ａ）〜図６（Ｄ）の場合と同様にして、待受画面の表示状態から操作部１２を順次操作して、機能Ｂ設定画面を表示させる。この結果、図１１（Ａ）に示されるように、上述した図７（Ａ）の場合と同様の機能Ｂ設定画面が表示部１３の共用表示領域ＳＡＤＡに表示される。
【００６３】
この機能Ｂ設定画面において、「２．停止」が選択されると、第１実施形態の場合と同様に、基本処理部５１’のカード機能起動／停止部５６’が、カード通信部２４を介して、機能Ｂ停止指令をＩＣカード部３０へ送る。ＩＣカード部３０では、制御部３３が機能Ｂ停止指令を受ける。そして、制御部３３は、機能Ｂを停止させ、その旨を制御部２１へ送る。こうして機能Ｂが停止されると、制御部３３は、リーダライタ５０から機能Ｂに関するトランザクションを受信しても応答をしなくなる。
【００６４】
一方、機能Ｂ設定画面において、「２．停止」が選択されると、共用表示領域ＳＡＤＡには、上記のＩＣカード部３０における機能Ｂの停止のための動作時間以上の一定時間にわたって、図１１（Ｂ）に示されるように、機能Ｂを停止させた旨が表示される。なお、本実施形態の場合には、第１実施形態とは異なり、ＩＣカード部３０から機能Ｂを停止させた旨を受けたカード機能起動／停止部５６’は、ＩＣカード部３０における機能Ｂが停止した旨を機能停止通知制御部５８へ通知することはしない。この結果、機能Ｂが停止された時点においては、上述の機能Ｂ停止シンボル図形ＢＳＭ等による機能Ｂが停止している旨の表示部１３における表示は行われない。
【００６５】
こうして、機能Ｂを停止させた旨の表示部１３への表示から一定時間が経過すると、図１１（Ｃ）に示されるように、共用表示領域ＳＡＤＡにおける表示は、図１１（Ａ）と同一の機能Ｂ設定画面に戻る。以後、上述した機能Ｂの停止と同様の手順で機能Ｂ起動が起動されるまでは、機能Ｂの停止状態となる。例えば、図１１（Ｃ）における画面表示状態において、待受画面表示状態に戻るためのリセットキーとしても機能する終話キーを押下すると、図１１（Ｄ）に示されるように、共用表示領域ＳＡＤＡの表示は待受画面に戻るが、機能Ｂの停止状態は継続する。
【００６６】
上記のようにしてＩＣカード部３０における機能Ｂを停止させた後に、鉄道会社の駅の改札機を通過しようとして、携帯電話装置１０を改札機に近付けると、改札機内のリーダライタ５０がエラーを検出し、警告音等を発する。一方、ＩＣカード部３０は、機能Ｂが停止状態にあるのに機能Ｂを使用しようとしたことを検出し、その旨を機能停止通知制御部５８へ報告する。この報告を受けた機能停止通知制御部５８は、ＬＥＤ部１８のＬＥＤ１８1及びＬＥＤ１８2の少なくとも一方を点滅させるとともに、バイブレータ２６を振動させて、機能Ｂが停止状態にあるのに機能Ｂを使用しようとしたことを利用者へ通知する。
【００６７】
こうした利用者への通知と同時に、機能停止通知制御部５８は、図１２に示されるような機能Ｂ起動用画面を表示部１３の共用表示領域ＳＡＤＡに表示する。この機能Ｂ起動用画面の表示中に「いいえ」を選択すると、携帯電話装置１０’としては、ＩＣカード部３０に対して何等の指令を行うことなく、機能Ｂ起動用画面を消去する。
【００６８】
一方、機能Ｂ起動用画面の表示中に「はい」を選択すると、カード機能起動／停止部５６’が、カード通信部２４を介して、機能Ｂ起動指令をＩＣカード部３０へ送る。ＩＣカード部３０では、制御部３３が機能Ｂ停止指令を受ける。そして、制御部３３は、機能Ｂを起動し、その旨を制御部２１へ送る。こうして機能Ｂが起動されると、制御部３３は、リーダライタ５０から機能Ｂに関するトランザクションを受信すると、応答を行うようになる。
【００６９】
なお、ＩＣカード部３０における機能Ｂの停止が、利用者による操作部１２からの指令入力により行われる場合について説明したが、第１実施形態の場合と同様に、移動通信網を介して機能Ｂの停止が指令された場合も上記と同様に動作する。また、ＩＣカード部３０において機能Ｂが停止された場合について説明したが、機能Ａが停止された場合も同様に動作する。
【００７０】
以上説明したように、本実施形態では、携帯電話装置１０’のカード機能起動／停止部５６’が、有線経路を介した指令により、ＩＣカード部３０が非接触型通信を利用して実行する機能が個別に停止される。こうして、ＩＣカード部３０の機能が個別的に停止された後に、停止している機能を使用しようとした場合には、ＩＣカード部３０は、その旨を携帯電話装置１０’の制御部２１へ報告する。この報告を受けた制御部２１は、ＬＥＤ部１８及びバイブレータ２６を制御して、視覚的及び触覚的に、停止している機能を使用しようとした旨を利用者へ通知する。したがって、利用者は、対処が必要なときに、ＩＣカード部３０における機能が停止されていることを知ることができる。
【００７１】
また、停止している機能を使用しようとした旨の利用者への通知と並行して、当該停止している機能を起動するか否かを確認するための起動用画面を表示部１３に表示する。このため、利用者は、所望する場合には、当該停止している機能を迅速に起動させることができる。
【００７２】
なお、上記の第２実施形態では、停止している機能を使用しようとした旨の利用者への通知に際して、ＬＥＤ部１８及びバイブレータ２６を制御して、当該旨を視覚的及び触覚的に利用者へ通知した。これにたいして、ＬＥＤ部１８及びバイブレータ２６のいずれか一方を制御して、視覚的及び触覚的のいずれか一方で利用者へ通知することとすることもできる。また、視覚的又は触覚的ではなく、案内用スピーカ１６を利用して、聴覚的に利用者へ通知することとすることもできる。さらに、視覚的、触覚的及び聴覚的な手段を任意に組み合わせて利用者へ通知することとすることもできる。
【００７３】
また、上記の第２実施形態では、ＩＣカード部３０における機能を停止させる際には、カード機能起動／停止部５６’が個別の機能ごとにＩＣカード部３０へ停止指令を送り、この停止指令を受けたＩＣカード部３０が自発的に当該機能を停止させることとした。これに対し、上述の第１実施形態における変形の場合と同様に、カード機能起動／停止部５６’がＩＣカード部３０における全ての機能を停止させる一括停止指令をＩＣカード部３０へ送り、この一括停止指令を受けたＩＣカード部３０が自発的に全機能を停止させることとすることができる。なお、ＩＣカード部３０における全ての機能を停止させる際には、第１実施形態における変形の場合と同様に、カード機能起動／停止部５６’が、ＩＣカード部３０とアンテナ２５との電気的な接続を切断したり、ＩＣカード部３０への電力供給を遮断したりすることにすることもできる。
【００７４】
また、上記の第１及び第２実施形態では、ＩＣカード部３０を携帯電話装置１０，１０’に固定的に内蔵とし、挿抜できないものとした。これに対して、第１実施形態の変形例として、代表的に図１３（Ａ）及び図１３（Ｂ）で総合的に示されるように、ＩＣカード部３０と同等の動作をするＩＣカード３０”を用いるとともに、第１実施形態における携帯電話装置１０（図１参照）と比べて、ＩＣカード３０”の挿抜を可能とするカード収納部１９を更に備える携帯電話装置１０”を用いることとすることもできる。
【００７５】
ここで、ＩＣカード３０”は、図１４に示されるように、（ａ）接触型通信用端子３１を介した接触型通信、及び、非接触型通信用端子３２を介した非接触型通信の制御を行うとともに、記憶部３４への読出し書込み等、ＩＣカード全体を統括制御する制御部３３と、（ｂ）機能Ａ領域４１及び機能Ｂ領域を含む記憶部３４とを備えるように構成される。なお、ＩＣカード３０”における接触型通信用端子３１としては、ＳＤＩＯ（Secure Digital Input/Output）カードにおける規格化された端子を採用することができる。また、ＩＣカード３０”は、非接触型通信の観点からは、ＲＦＩＤ（Radio Frequency-Identification）カードを採用することができる。
【００７６】
制御部３３は、（ｉ）リーダライタ５０との間における非接触型通信動作を制御する非接触型通信部３５と、（ii）携帯電話装置１０との間における接触型通信を制御する接触型通信部３６と、（iii）記憶部３４からのデータ読出し、書込み等を含むデータ処理を行うデータ処理部３７とを備えるように構成される。
【００７７】
ＩＣカード３０”がカード収納部１９に収納されると、接触型通信用端子３１がカード通信部２４と電気的に接続されるとともに、非接触型通信用端子３２がアンテナ２５と電気的に接続されるようになっている。このため、ＩＣカード３０”は、カード収納部１９に収納されると、上述のＩＣカード部３０と同様に、有線経路を介して携帯電話装置１０”と通信が可能となるとともに、非接触型通信によりリーダライタ５０と通信が可能となっている。
【００７８】
なお、図１３及び図１４の説明にあたっては、第１実施形態と同一又は同等の要素には同一の符号を付し、重複する説明を省略した。
【００７９】
また、上記の第１及び第２実施形態では、携帯電話装置を携帯情報装置として本発明を適用したが、携帯電話装置以外の携帯情報装置に本発明を適用することができるのは勿論である。
【産業上の利用可能性】
【００８０】
以上説明したように、本発明の状態通知方法は、非接触型通信デバイスが搭載された携帯情報装置における当該非接触型通信デバイスの状態の通知に適用することができる。また、本発明の携帯情報装置は、搭載された非接触型通信デバイスの状態を利用者へ通知する携帯情報装置に適用することができる。
【図面の簡単な説明】
【００８１】
【図１】本発明の第１実施形態に係る携帯電話装置の外観構成を概略的に示す図である。
【図２】図１の携帯電話装置の内部構成を説明するための機能ブロック図である。
【図３】図２の制御部で実行されるソフトウエアの構成を説明するための図である。
【図４】図１の携帯電話における表示部の領域構成を説明するための図である。
【図５】図１のＩＣカード部の構成を示す機能ブロック図である。
【図６】図１の携帯電話装置におけるＩＣカード部の機能停止動作を説明するための画面遷移図である。
【図７】図１の携帯電話装置におけるＩＣカード部の機能停止動作及び状態通知動作を説明するための画面遷移図である。
【図８】本発明の第２実施形態に係る携帯電話装置の外観構成を概略的に示す図である。
【図９】図８の携帯電話装置の内部構成を説明するための機能ブロック図である。
【図１０】図９の制御部で実行されるソフトウエアの構成を説明するための図である。
【図１１】図８の携帯電話装置におけるＩＣカード部の機能停止動作を説明するための画面遷移図である。
【図１２】図８の携帯電話装置における機能起動確認画面を示す図である。
【図１３】変形例の携帯電話装置の外観構成を概略的に示す図である。
【図１４】図１３のＩＣカードの構成を示す機能ブロック図である。
【符号の説明】
【００８２】
１０，１０’，１０”…携帯電話装置（携帯情報装置）、１１…携帯電話本体、１２…操作部、１３…表示部、１４…通話用スピーカ、１５…マイクロフォン、１６…案内用スピーカ、１７…アンテナ、１８…ＬＥＤ部、１９…カード収納部、２１…制御部、２２…送受信部、２３…記憶部、２４…カード通信部、２５…アンテナ、２６…バイブレータ、３０…ＩＣカード部（非接触型通信デバイス）、３０”…ＩＣカード（非接触型通信デバイス）、３１…接触型通信用端子、３２…非接触型通信用端子、３３…制御部、３４…記憶部、３５…非接触型通信部、３６…接触型通信部、３７…データ処理部、４１…機能Ａ領域、４２…機能Ｂ領域、５０…リーダライタ、５１，５１’…基本処理部、５２…実行環境部、５３…アプリケーション、５６，５６’…カード機能起動／停止部（機能停止手段）、５７…機能停止表示制御部（機能停止通知手段）、５８…機能停止通知制御部（機能停止通知手段）。
【図１】
2006203284.tif 000003
【図２】
2006203284.tif 000004
【図３】
2006203284.tif 000005
【図４】
2006203284.tif 000006
【図５】
2006203284.tif 000007
【図６】
2006203284.tif 000008
【図７】
2006203284.tif 000009
【図８】
2006203284.tif 000010
【図９】
2006203284.tif 000011
【図１０】
2006203284.tif 000012
【図１１】
2006203284.tif 000013
【図１２】
2006203284.tif 000014
【図１３】
2006203284.tif 000015
【図１４】
2006203284.tif 000016